(57)【要約】【課題】移動局の位置を私設基地局のサービス領域内でも精密に追跡することができ、かつ、簡易に具現することができるシステム及び方法を提供する。【解決手段】本発明のシステムは、移動局の無線ネットワーク位置に関連する位置情報を貯蔵する訪問者位置登録器と、移動局が私設無線ネットワークについての位置登録をすると、移動局の無線ネットワーク位置に関連する位置情報を訪問者位置登録器に貯蔵し、移動局が一定時間の間アイドル状態であると、ダミーページングにより移動局の位置を確認して訪問者位置登録器に貯蔵された位置情報を更新する私設基地局制御器と、を備えることを特徴とする。【選択図】図１
2004088783.tif 000002
【特許請求の範囲】
【請求項１】
　移動局の位置追跡が可能な無線ネットワークシステムにおいて、
　移動局の無線ネットワーク位置に関連する位置情報を貯蔵する訪問者位置登録器と、
　移動局が無線ネットワークについての位置登録をすると、該移動局の無線ネットワーク位置に関連する位置情報を前記訪問者位置登録器に貯蔵し、該移動局が一定時間の間アイドル状態であると、ダミーページングにより該移動局の位置を確認して前記訪問者位置登録器に貯蔵された位置情報を更新する基地局制御器と、を備えることを特徴とする移動局の位置追跡が可能な無線ネットワークシステム。
【請求項２】
　移動局の位置追跡が可能な私設無線ネットワークシステムにおいて、
　私設基地局のセクタ領域に分散設置される少なくとも一つ以上の中継器と、
　移動局の無線ネットワーク位置に関連する私設基地局番号、セクタ番号、中継器番号のうち少なくとも一つを含む位置情報を貯蔵する訪問者位置登録器と、
　移動局が私設無線ネットワークについての位置登録をすると、該移動局の私設無線ネットワーク位置に関連する位置情報を前記訪問者位置登録器に貯蔵し、移動局が一定時間の間アイドル状態であると、ダミーページングにより該移動局の位置を確認して前記訪問者位置登録器に貯蔵された位置情報を更新する私設基地局制御器と、を備えることを特徴とする移動局の位置追跡が可能な私設無線ネットワークシステム。
【請求項３】
　移動局の位置追跡が可能な私設無線ネットワークシステムにおいて、
　私設基地局のセクタ領域に分散設置される少なくとも一つ以上の中継器と、
　移動局の無線ネットワーク位置に関連する私設基地局番号、セクタ番号、中継器番号のうち少なくとも一つを含む位置情報を貯蔵する訪問者位置登録器と、
　移動局が私設無線ネットワークについての位置登録をすると、該移動局の私設無線ネットワーク位置に関連する位置情報を前記訪問者位置登録器に貯蔵し、移動局が一定時間の間アイドル状態であると、ダミーページングにより該移動局の位置を確認して前記訪問者位置登録器に貯蔵された位置情報を更新する私設基地局制御器と、
　前記訪問者位置登録器に貯蔵された前記移動局の位置情報を照会するサーバと、を備えることを特徴とする移動局の位置追跡が可能な私設無線ネットワークシステム。
【請求項４】
　無線ネットワークにおける移動局の位置追跡方法において、
　移動局が無線ネットワークについての位置登録をすると、該移動局の無線ネットワーク位置に関連する位置情報を訪問者位置登録器に貯蔵する段階と、
　移動局が一定時間の間アイドル状態であると、ダミーページングにより該移動局の位置を確認する段階と、
　該確認した移動局の位置情報を用いて前記訪問者位置登録器に貯蔵された位置情報を更新する段階と、からなることを特徴とする無線ネットワークにおける移動局の位置追跡方法。
【請求項５】
　位置情報は基地局番号、セクタ番号、中継器番号のうち少なくとも一つを含む請求項４記載の無線ネットワークにおける移動局の位置追跡方法。
【請求項６】
　移動局の位置情報を貯蔵する訪問者位置登録器を含む私設無線ネットワークにおける移動局の位置追跡方法において、
　移動局が私設無線ネットワークについての位置登録をすると、私設基地局制御器が該移動局の私設無線ネットワーク位置に関連する位置情報を訪問者位置登録器に貯蔵する段階と、
　移動局が一定時間の間アイドル状態であると、私設基地局制御器がダミーページングにより該移動局の位置を確認する段階と、
　該確認した移動局の位置情報を用いて前記訪問者位置登録器に貯蔵された位置情報を更新する段階と、からなることを特徴とする私設無線ネットワークにおける移動局の位置追跡方法。
【請求項７】
　位置情報は私設基地局番号、セクタ番号、中継器番号のうち少なくとも一つを含む請求項６記載の私設無線ネットワークにおける移動局位置追跡方法。
【請求項８】
　基地局のセクタ領域に分散設置される少なくとも一つ以上の中継器と移動局の位置情報を貯蔵する訪問者位置登録器とを含む私設無線ネットワークにおける移動局の位置追跡方法において、
　移動局が私設無線ネットワークについての位置登録をすると、私設基地局制御器が該当移動局に関連する私設基地局番号、セクタ番号、中継器番号のうち少なくとも一つ以上を含む位置情報を訪問者位置登録器に貯蔵する段階と、
　移動局が一定時間の間アイドル状態であると、私設基地局制御器がダミーページングにより該移動局の位置を確認する段階と、
　該確認した移動局の位置情報を用いて前記訪問者位置登録器に貯蔵された位置情報を更新する段階と、からなることを特徴とする私設無線ネットワークにおける移動局の位置追跡方法。
【請求項９】
　訪問者位置登録器と移動局の位置情報を表示するサーバとを含む私設無線ネットワークにおける移動局の位置追跡方法において、
　移動局が私設無線ネットワークについての位置登録をすると、私設基地局制御器が該移動局の私設無線ネットワーク位置に関連する位置情報を訪問者位置登録器に貯蔵する段階と、
　移動局が一定時間の間アイドル状態であると、私設基地局制御器がダミーページングにより該移動局の位置を確認する段階と、
　該確認した移動局の位置情報を用いて前記訪問者位置登録器に貯蔵された位置情報を更新する段階と、
　移動局の位置情報が訪問者位置登録器に貯蔵されると、私設基地局制御器がサーバに該移動局の位置情報を伝送する段階と、からなることを特徴とする私設無線ネットワークにおける移動局の位置追跡方法。
【請求項１０】
　移動局の位置追跡方法において、
　移動局が位置登録を実行すると、該当移動局に関連する私設基地局番号、セクタ番号、中継器番号を含む位置情報を貯蔵する段階と、
　クライアントが移動局加入者の状態に関する照会を要請するメッセージを定期的にサーバに伝送する段階と、
　該サーバが要請メッセージに応答して訪問者位置登録器に貯蔵されている位置情報の照会を私設基地局制御器に要請する段階と、
　該私設基地局制御器が訪問者位置登録器に貯蔵されている位置情報を前記サーバの要請に応答して該サーバに伝送する段階と、
　該サーバが該私設基地局制御器から受信した位置情報を前記クライアントに伝送する段階と、
　該クライアントが前記サーバから位置情報を受信して、該受信した位置情報に応じた移動局の位置及び状態を使用者に提供する段階と、からなることを特徴とする移動局の位置追跡方法。
【請求項１１】
　一定時間の間アイドル状態である移動局に対してダミーページングにより該当移動局の位置及び状態を確認して、訪問者位置登録器の位置情報を更新する段階をさらに含む請求項１０記載の移動局の位置追跡方法。
【請求項１２】
　移動局の位置追跡方法において、
　移動局が位置登録を実行すると、該当移動局に関連する私設基地局番号、セクタ番号、中継器番号を含む位置情報を貯蔵する段階と、
　使用者が特定移動局を指定して該当特定移動局加入者の状態に関する照会をクライアントに要請することで該クライアントが該使用者の要請に応答して特定移動局加入者の状態に関する照会を要請するメッセージをサーバに伝送する段階と、
　該サーバがクライアントの要請メッセージに応答して訪問者位置登録器に貯蔵されている位置情報の照会を私設基地局制御器に要請する段階と、
　該私設基地局制御器がダミーページングにより特定移動局の位置及び状態を確認して訪問者位置登録器に貯蔵されている位置情報を更新し、該更新した位置情報を前記サーバの要請に応答して該サーバに伝送する段階と、からなることを特徴とする移動局の位置追跡方法。
【請求項１３】
　サーバが私設基地局制御器から受信した位置情報をクライアントに伝送する段階と、
　該クライアントがサーバから位置情報を受信し、該受信した位置情報に応じた移動局の位置及び状態を使用者に提供する段階をさらに含む請求項１２記載の移動局の位置追跡方法。
　
【発明の詳細な説明】
【技術分野】
【０００１】
　本発明は私設無線ネットワーク(private wireless network)に関し、特に、私設無線ネットワークの加入者位置情報を提供するためのシステム及び方法に関する。
【背景技術】
【０００２】
　一般的に私設無線ネットワークは、特定建物のような制限された区域内、即ち構内で私設無線ネットワーク加入者の移動局(ＭＳ：Mobile Station)に移動通信サービスを提供する。この私設無線システムの一例として、大韓民国の三星電子(株)によって開発された“インフォモバイル(Info Mobile)”システムがある。このインフォモバイルシステムはＰＡＢＸ(Private Automatic Branch Exchange)機能と共に、各種無線呼、データサービス及びＩＰ(Internet Protocol)端末サービスなどを提供する。
【０００３】
　このような私設無線ネットワークにおいて、移動局が着信(incoming call)サービス受けるためには、自分の位置、スロットモード(slot mode)、電源オン／オフなどの状態を必ず私設無線システムに知らせる必要がある。このために私設無線ネットワークはＰＬＭＮ(Public Land Mobile Network)のように、加入者、即ち、移動局の移動状況及び状態を実時間で管理するための位置登録機能を備える。移動局は通話をしなくても、時折自分の位置及び状態を知らせる作業、即ち、位置登録を遂行し、これに従う移動局の位置及び状態は私設無線システムのホーム位置登録器(ＨＬＲ:Home Location Register)／訪問者位置登録器(ＶＬＲ:Visitor Location Register)にＤＢ(Database)化され管理される。位置登録は一般に、“電源オン時の登録(power-up registration)”、“電源オフ時の登録(power-down registration)”、“周期登録(timer-based registration)”、“距離基準登録(distance-based registration)”、“位置領域変更登録(zone-based registration)”、“パラメーター変更登録(parameter-change registration)”、“命令登録(order registration)”、“暗黙的登録(implicit registration)”、“トラヒックチャネル登録(traffic channel registration)”などに細分化される。
【０００４】
　“電源オン時の登録”は使用を中止していた移動局が電源をオンした時に、現在移動局の状態及び位置をシステムに知らせる位置登録である。“電源オフ時の登録”は移動局が電源をオフした時に、これをシステムに知らせる位置登録である。“周期登録”は移動局が正常にサービス受けるために周期的に実施される位置登録である。“距離基準登録”は移動局が最終位置登録地点から一定の距離を外れた場合に実施される位置登録である。“位置領域変更登録”は移動局が位置領域を変更した時、新たな位置領域を登録する位置登録である。“パラメーター変更登録”は電話番号など移動局に貯蔵してあるパラメーターが使用者により意図的に変更された場合に実施される位置登録である。“命令登録”は移動局に位置登録を要求する基地局の強制命令により実行される位置登録である。“暗黙的登録”は移動局の発信又は着信応答時に暗黙的に実施される位置登録である。“トラヒックチャネル登録”は通話中の状態でハンドオフ(handoff)などにより移動局の位置領域が変更された場合に暗黙的に実施される位置登録である。私設無線システムは、このような位置登録に従う移動局の位置登録情報を利用して、特定加入者に対して通話が可能であるか否か、または、該当加入者にサービスが可能であるか否かを判別することができる。
【０００５】
　一方、このような位置登録情報に基づいて移動局の位置を基地局単位で知ることもできる。このような点に着目し、移動局の最新の位置が登録された基地局、即ち、該当移動局に最も近接していると判断された基地局の位置を電子地図に表示することにより、加入者の位置及び移動経路を把握できるようにする位置追跡サービスを実施するＰＬＭＮサービス事業者がある。
【０００６】
　しかし、このような位置追跡サービスは私設無線ネットワークでは実施されておらず、私設無線ネットワークではただ特定加入者に対して通話が可能であるか、または、該当加入者にサービス提供が可能であるかを判別するだけである。また、ＰＬＭＮで実施される位置追跡サービスは加入者の位置が基地局単位で把握されているだけなので、各基地局がカバーするサービス領域内を細分化した加入者の位置は提供しない。基地局のサービス領域内で加入者位置をより精密に追跡できるようにするためには、移動局がＧＰＳ(Global Positioning System)受信器を備えてＧＰＳ衛星から受信した自分の位置情報を基地局に知らせるようにするか、それとも移動局が一定の距離を移動するごとに位置登録を実施すると共に、位置登録を実施した基地局から該当基地局の緯度及び経度情報を受信して自分の位置を計算し、この計算した位置をネットワークに知らせるようにしなければならない。
【発明の開示】
【発明が解決しようとする課題】
【０００７】
　従って、この問題点を解決するための本発明の目的は、加入者の位置を基地局のサービス領域内で精密に追跡することができ、かつ、簡易に具現することができるシステム及び方法を提供することにある。
【課題を解決するための手段】
【０００８】
　このような目的を達成するための本発明のシステムは、移動局の無線ネットワーク位置に関連する位置情報を貯蔵するＶＬＲと、移動局が無線ネットワークについての位置登録をすると、移動局の無線ネットワーク位置に関連する位置情報をＶＬＲに貯蔵し、移動局が一定時間の間アイドル状態であると、ダミーページングにより移動局の位置を確認してＶＬＲに貯蔵された位置情報を更新する基地局制御器と、を備える。
【０００９】
　このような目的を達成するための本発明の他のシステムは、私設基地局(ｐＢＴＳ：private Base Transceiver Station)のセクタ領域に分散設置される多数の中継器と、私設基地局制御器(ｐＢＳＣ：private Base Station Controller)と、を備える。ｐＢＳＣは移動局が位置登録を実行すると、該当移動局に関連するｐＢＴＳ番号、セクタ番号、中継器番号を含む位置情報をＶＬＲに貯蔵し、一定時間の間アイドル状態である移動局に対してはダミーページングにより位置及び状態を確認してＶＬＲの位置情報を更新する。すなわち、このシステムは、ｐＢＴＳのセクタ領域に分散設置される少なくとも一つ以上の中継器と、移動局の無線ネットワーク位置に関連するｐＢＴＳ番号、セクタ番号、中継器番号のうち少なくとも一つを含む位置情報を貯蔵するＶＬＲと、移動局が私設無線ネットワークについての位置登録をすると、移動局の私設無線ネットワーク位置に関連する位置情報をＶＬＲに貯蔵し、移動局が一定時間の間アイドル状態であると、ダミーページングにより移動局の位置を確認してＶＬＲに貯蔵された位置情報を更新するｐＢＳＣと、を備えることができる。
【００１０】
　また、本発明では、ｐＢＴＳのセクタ領域に分散設置される少なくとも一つ以上の中継器と、移動局の無線ネットワーク位置に関連するｐＢＴＳ番号、セクタ番号、中継器番号のうち少なくとも一つを含む位置情報を貯蔵するＶＬＲと、移動局が私設無線ネットワークについての位置登録をすると、移動局の私設無線ネットワーク位置に関連する位置情報をＶＬＲに貯蔵し、移動局が一定時間の間アイドル状態であると、ダミーページングにより移動局の位置を確認してＶＬＲに貯蔵された位置情報を更新するｐＢＳＣと、ＶＬＲに貯蔵された移動局の位置情報を照会するサーバと、を備えることを特徴とする移動局の位置追跡が可能な私設無線ネットワークシステムをも提供する。
【００１１】
　さらにまた、これらのシステムはサーバとクライアントとを備え、サーバはＶＬＲに貯蔵されている位置情報を照会してクライアントに送信し、クライアントはサーバから位置情報を受信して位置情報に応じた移動局の位置及び状態を使用者に提供することができる。この時、クライアントは私設無線ネットワークのサービス地域の地形図に移動局の位置を表示して画面上にディスプレイするとよい。
【００１２】
　前述の目的を達成するための本発明の位置追跡方法は、移動局が無線ネットワークに位置登録をすると、移動局の無線ネットワーク位置に関連する位置情報をＶＬＲに貯蔵する段階と、移動局が一定時間の間アイドル状態であると、ダミーページングにより移動局の位置を確認する段階と、この確認した移動局の位置情報を用いてＶＬＲに貯蔵された位置情報を更新する段階と、からなる。
【００１３】
　この方法において位置情報は基地局番号、セクタ番号、中継器番号のうち少なくとも一つを含むとよい。
【００１４】
　さらにまた、本発明では、移動局の位置情報を貯蔵するＶＬＲを含む私設無線ネットワークにおける移動局の位置追跡方法において、移動局が私設無線ネットワークについての位置登録をすると、ｐＢＳＣが移動局の私設無線ネットワーク位置に関連する位置情報をＶＬＲに貯蔵する段階と、移動局が一定時間の間アイドル状態であると、ｐＢＳＣがダミーページングにより移動局の位置を確認する段階と、この確認した移動局の位置情報を用いてＶＬＲに貯蔵された位置情報を更新する段階と、からなることを特徴とする私設無線ネットワークにおける移動局の位置追跡方法をも提供する。
【００１５】
　この方法における位置情報はｐＢＴＳ番号、セクタ番号、中継器番号のうち少なくとも一つを含むとよい。
【００１６】
　さらにまた、本発明では、基地局のセクタ領域に分散設置される少なくとも一つ以上の中継器と移動局の位置情報を貯蔵するＶＬＲとを含む私設無線ネットワークにおける移動局の位置追跡方法において、移動局が私設無線ネットワークについての位置登録をすると、ｐＢＳＣが移動局に関連するｐＢＴＳ番号、セクタ番号、中継器番号のうち少なくとも一つ以上を含む位置情報をＶＬＲに貯蔵する段階と、移動局が一定時間の間アイドル状態であると、ｐＢＳＣがダミーページングにより移動局の位置を確認する段階と、この確認した移動局の位置情報を用いてＶＬＲに貯蔵された位置情報を更新する段階と、からなることを特徴とする私設無線ネットワークでの移動局の位置追跡方法を提供する。
【００１７】
　さらにまた、本発明では、ＶＬＲと移動局の位置情報を表示するサーバとを含む私設無線ネットワークにおける移動局の位置追跡方法において、移動局が私設無線ネットワークについての位置登録をすると、ｐＢＳＣが移動局の私設無線ネットワーク位置に関連する位置情報をＶＬＲに貯蔵する段階と、移動局が一定時間の間アイドル状態であると、ｐＢＳＣがダミーページングにより移動局の位置を確認する段階と、この確認した移動局の位置情報を用いてＶＬＲに貯蔵された位置情報を更新する段階と、移動局の位置情報がＶＬＲに貯蔵されると、ｐＢＳＣがサーバに移動局の位置情報を伝送する段階と、からなることを特徴とする私設無線ネットワークにおける移動局の位置追跡方法も提供する。すなわち、この位置追跡方法は、移動局が私設無線ネットワークについての位置登録を実行すると、ｐＢＳＣが該当移動局に関連するｐＢＴＳ番号、セクタ番号、中継器番号のうち少なくとも一以上を含む位置情報をＶＬＲに貯蔵する段階と、移動局が一定時間の間アイドル状態であると、ｐＢＳＣがダミーページングにより移動局の位置を確認する段階と、この確認した移動局の位置情報を用いてＶＬＲに貯蔵された位置情報を更新する段階と、移動局の位置情報がＶＬＲに貯蔵されると、ｐＢＳＣがサーバに移動局の位置情報を伝送する段階と、を備えることができる。
【００１８】
　前述の目的を達成するための本発明の他の位置追跡方法は、移動局が位置登録を実行すると、ｐＢＳＣが該当移動局に関連するｐＢＴＳ番号、セクタ番号、中継器番号を含む位置情報をＶＬＲに貯蔵する段階と、クライアントが移動局に対する加入者状態照会を要請する加入者状態照会メッセージを定期的にサーバに伝送する段階と、サーバが加入者状態照会メッセージに応答してＶＬＲに貯蔵されている位置情報の照会をｐＢＳＣに要請する段階と、ｐＢＳＣがＶＬＲに貯蔵されている位置情報をサーバの要請に応答してサーバに伝送する段階と、サーバがｐＢＳＣから受信した位置情報をクライアントに伝送する段階と、クライアントがサーバから位置情報を受信して、この受信した位置情報に応じた移動局の位置及び状態を使用者に提供する段階と、からなることができる。
【００１９】
　この方法では、一定時間の間アイドル状態である移動局に対してダミーページングにより該当移動局の位置及び状態を確認して、ＶＬＲの位置情報を更新する段階をさらに含むとよい。
【００２０】
　前述の目的を達成するための本発明のさらに他の位置追跡方法は、移動局が位置登録を実行すると、移動局に関連するｐＢＴＳ番号、セクタ番号、中継器番号を含む位置情報を貯蔵する段階と、使用者が特定移動局を指定して該当特定移動局加入者の状態に関する照会をクライアントに要請することでクライアントが使用者の要請に応答して特定移動局加入者の状態に関する照会を要請するメッセージをサーバに伝送する段階と、サーバがクライアントの要請メッセージに応答して訪問者位置登録器に貯蔵されている位置情報の照会をｐＢＳＣに要請する段階と、ｐＢＳＣがダミーページングにより特定移動局の位置及び状態を確認してＶＬＲに貯蔵されている位置情報を更新し、この更新した位置情報をサーバの要請に応答してそのサーバに伝送する段階と、からなることができる。
【００２１】
　この方法では、サーバがｐＢＳＣから受信した位置情報をクライアントに伝送する段階と、クライアントがサーバから位置情報を受信し、この受信した位置情報に応じた移動局の位置及び状態を使用者に提供する段階をさらに含むとよい。すなわち、この位置追跡方法は、移動局が位置登録を実行すると、ｐＢＳＣが該当移動局に関連するｐＢＴＳ番号、セクタ番号、中継器番号を含む位置情報をＶＬＲに貯蔵する段階と、使用者が特定移動局を指定して加入者状態照会を要請し、これに応答してクライアントが指定加入者状態照会メッセージをサーバに伝送する段階と、サーバが指定加入者状態照会メッセージに応答して指定された移動局の位置及び状態確認をｐＢＳＣに要請する段階と、ｐＢＳＣがサーバからの位置及び状態確認要請に応答して指定された移動局に対してダミーページングにより位置及び状態を確認してＶＬＲの位置情報を更新すると共に、これをサーバに送信する段階と、サーバがｐＢＳＣから受信した位置情報をクライアントに伝送する段階と、クライアントがサーバから位置情報を受信して位置情報に応じた移動局の位置及び状態を使用者に提供する段階と、からなることができる。
【発明の効果】
【００２２】
　本発明によると、ＧＰＳを利用したり、移動局が一定の距離を移動するごとに位置登録を実施して基地局の緯度情報と経度情報を受信しなくとも私設無線ネットワークにおいて加入者の位置を中継器単位まで精密に追跡することができ、かつ、簡易に具現することができる利点がある。
【発明を実施するための最良の形態】
【００２３】
　以下、本発明に従う好適な一実施形態について図１〜図４を参照しつつ詳細に説明する。下記の説明において、本発明の要旨のみを明瞭にする目的で、関連した公知機能又は構成に関する具体的な説明は省略する。
【００２４】
　図１は本発明の一実施形態に従う加入者位置追跡システムを含む私設無線ネットワークの構成図を示したものであり、本発明の一実施形態に従う私設無線ネットワーク１００が、通常の場合と同様に、ＰＬＭＮ１０２及びＰＳＴＮ(Public Switched Telephone Network)１０４と連動(interworking)する例を示したものである。私設無線ネットワーク１００において、ｐＢＳＣ１０６はＰＡＢＸ１１２及びＰＬＭＮ１０２に接続されていると共に、多数のｐＢＴＳ１０８に接続されている。ｐＢＳＣ１０６は上述したように多数の移動局１１０の位置登録に従う位置登録情報をＤＢ化して管理するＶＬＲ１２０を備えている。ｐＢＴＳ１０８は自分のセクタ領域に分散設置された多数の中継器Ｒと接続されている。一般にｐＢＴＳ１０８のサービス領域はα、β、γと言われる３個のセクタ領域に区分され、このようなセクタ領域にはそれぞれ中継器Ｒが必要な個数だけ設置される。例えば、中継器Ｒは、私設無線ネットワーク１００が提供される建物の階ごとに一つずつ設置することもでき、広面積の建物である場合には、一つの階を多数の区域に分けて区域ごとに一つずつ中継器Ｒを設置することもできる。このような中継器Ｒは移動局１１０とｐＢＴＳ１０８間の通信を中継するために移動局１１０と無線接続される。ＰＡＢＸ１１２とｐＢＳＣ１０６はＬＡＮ(Local Area Network)１１４に接続されている。このようなＬＡＮ１１４には、ＰＣ(Personal Computer)を用いた多数のクライアント１１８が接続されており、また、クライアント１１８の使用者へ本発明の一実施形態に従う加入者位置追跡サービスを提供するためのサーバ１１６が接続される。
【００２５】
　このような私設無線ネットワーク１００において、本発明の一実施形態に従うシステムは、ＬＡＮ１１４によってそれぞれ接続されるｐＢＳＣ１０６と、サーバ１１６と、クライアント１１８と、を備える。ｐＢＳＣ１０６は、位置情報として移動局１１０に関連するｐＢＴＳ番号、セクタ番号、中継器番号をＶＬＲ１２０に貯蔵する。ここで、ｐＢＴＳ番号は多数のｐＢＴＳ１０８のうち位置登録を実行する移動局と接続された１つのｐＢＴＳに固有のシリアル番号であり、中継器番号は多数の中継器Ｒのうち位置登録を実行する移動局と接続された１つの中継器に固有のシリアル番号であり、セクタ番号はセクタ領域のうち位置登録を実行する移動局と接続された中継器Ｒが属する１つのセクタ領域に固有のシリアル番号である。このように位置情報がｐＢＴＳ番号、セクタ番号、中継器番号を含むことによって移動局１１０の位置を中継器Ｒ単位で把握することができるようになる。すなわち、移動局１１０の位置を基地局単位で追跡するＰＬＭＮの位置追跡サービスよりも精密に把握できるようになる。また、ｐＢＳＣ１０６は多数の移動局１１０のうち一定時間の間アイドル状態にある移動局に対して、ダミーページング(Dummy Paging)により位置及び状態を確認してＶＬＲ１２０の位置情報を更新する。ダミーページングは、通常のページングと同様の方式で実行されるが、通常のページングとは異なり、ある移動局が一定時間の間アイドル状態である場合に該当移動局に対して実行するようになるので、本発明ではこれを“ダミーページング”と称する。このように一定時間の間アイドル状態にある移動局に対してダミーページングを実行することにより、該当移動局が私設無線ネットワーク１００の内部又は外部にあるか、内部にあれば、どのｐＢＴＳ番号、セクタ番号、中継器番号に該当する位置にあるかを確認することにより、アイドル状態である移動局に対しても位置情報を実時間で管理することができるようになる。さらに、このダミーページングは一般的な呼処理過程に従って実行されるページングではないので、ｐＢＳＣ１０６のページング統計にカウントされないように設定する。
【００２６】
　一方、クライアント１１８はサーバ１１６を通じてｐＢＳＣ１０６のＶＬＲ１２０に貯蔵されている位置情報をｐＢＳＣ１０６から受信してそれに従う移動局１１０の位置及び状態を使用者に提供する。この時、クライアント１１８は移動局１１０の位置及び状態を単純なテキスト(text)として使用者に提供することもできるが、サーバ１１６又はクライアント１１８でＧＵＩ(Graphical User Interface)処理して私設無線ネットワーク１００のサービス地域の地形図に移動局１１０の位置を表示して画面上にディスプレイするとなお好ましい。この場合、移動局１１０の位置は該当移動局１１０それぞれの位置登録情報に従う中継器単位で表示するようになる。さらに、私設無線ネットワーク１００のサービス地域の地形図を電子地図として用意しサーバ１１６やクライアント１１８に予め貯蔵しておく。また、クライアント１１８は、私設無線ネットワーク１００における全加入者移動局の位置及び状態を一度に使用者に提供することもでき、使用者が指定する特定移動局の位置及び状態のみを使用者に提供することもできる。
【００２７】
　クライアント１１８がサーバ１１６から位置情報を受信する方式は三つの場合、即ち、第一に移動局１１０の位置登録が実行される場合、第二に加入者状態照会メッセージをサーバ１１６に周期的に送信する場合、第三に指定加入者状態照会メッセージをサーバ１１６に送信する場合に区分することができる。第一の場合は移動局１１０の位置登録が実行されるごとにｐＢＳＣ１０６のＶＬＲ１２０で更新した位置情報を受信する方式である。第二の場合はクライアント１１８とサーバ１１６間で約束された加入者状態照会メッセージをサーバ１１６に一定周期で送信し、これに対する応答として位置情報を受信する方式である。第三の場合は使用者が少なくとも一つの特定移動局を指定して加入者状態照会を要請することによって、クライアント１１８とサーバ１１６間で約束された指定加入者状態照会メッセージをサーバに送信し、これに対する応答として位置情報を受信する方式である。このような場合は、クライアント１１８の画面上にディスプレイされる多数の移動局１１０の位置及び状態を使用者が確認し、特定移動局に対して現在の位置及び状態を把握するために使用者が要請する場合などが該当する。
【００２８】
　本発明の一実施形態に従うクライアント１１８の各処理過程を段階２００〜２１２で示した図２と、サーバ１１６の各処理過程を段階３００〜３１２で示した図３と、ｐＢＳＣ１０６の各処理過程を段階４００〜４１８で示した図４を参照して、本発明の一実施形態に従う加入者位置追跡を説明すると、次のとおりである。
【００２９】
　クライアント１１８は段階２００〜２０４で、サーバ１１６から位置情報を受信したか否か（段階２００：HAS LOCATION INFORMATION BEEN RECEIVED FROM SERVER?）、加入者状態について定期的な照会時刻になったか否か（段階２０２：IS IT TIME TO INQUIRE ABOUT SUBSCRIBER'S STATE?）、使用者から指定加入者状態照会が要請されたか否か（段階２０４：HAS INQUIRY ABOUT APPOINTED SUBSCRIBER'S STATE BEEN REQUESTED FROM USER?）をチェックする。この時、サーバ１１６から位置情報を受信した場合（段階２００）には段階２１０（DISPLAY LOCATION AND STATE OF MOBILE STATION ACCORDING TO LOCATION INFORMATION ON SCREEN REPRESENTING TOPOGRAPHICAL MAP OF SERVICE ZONE OF PRIVATE WIRELESS NETOWRK）を実行し、加入者状態について定期的な照会時刻になった場合（段階２０２）には段階２０６（TRANSMIT MESSAGE INQUIRING ABOUT SUBSCRIBER'S STATE TO SERVER）を実行し、使用者から特定移動局を指定する指定加入者状態照会要請があった場合（段階２０４）には段階２１２（TRANSMIT MESSAGE INQUIRING ABOUT APPOINTED SUBSCRIBER'S STATE TO SERVER）を実行する。サーバ１１６は段階３００〜３０４で、ｐＢＳＣ１０６から位置情報を受信したか否か（段階３００：HAS LOCATION INFORMATION BEEN RECEIVED FROM pBSC?）、クライアント１１８から加入者状態照会メッセージを受信したか否か（段階３０２：HAS MESSAGE INQUIRING ABOUT SUBSCRIBER'S STATE BEEN RECEIVED FROM CLIENT?）、クライアント１１８から指定加入者状態照会メッセージを受信した否か（段階３０４：HAS MESSAGE INQUIRING APPOINTED SUBSCRIBER'S STATE BEEN RECEIVED FROM CLIENT?）をチェックする。この時、ｐＢＳＣ１０６から位置情報を受信した場合（段階３００）には段階３１０（TRANSMIT RECEIVED LOCATION INFORMATION TO CLIENT）を実行し、クライアント１１８から加入者状態照会メッセージを受信した場合（段階３０２）には段階３０６（REQUEST pBSC TO INQUIRE OUT LOCATION INFORMATION STORED IN VLR）を実行し、クライアント１１８から指定加入者状態照会メッセージを受信した場合（段階３０４）には段階３１２（REQUEST pBSC TO INQUIRE OUT LOCATION AND STATE OF APPOINTED MOBILE STATION）を実行する。ｐＢＳＣ１０６は段階４００〜４０６で、移動局１１０の新たな位置登録が実行されたか否か（段階４００：HAS LOCATION REGISTRATION OF MOBILE STATION BEEN EXECUTED?）、一定時間の間アイドル状態である移動局が存在するか否か（段階４０２：DOES MOBILE STATION KEEPING UP IDLE STATE DURING CERTAIN PERIOD EXIST?）、サーバ１１６から指定された移動局の位置及び状態確認が要請された否か（段階４０４：HAS CONFIRMATION FOR LOCATION AND STATE OF APPOINTED MOBILE STATION BEEN REQUESTED FROM SERVER?）、サーバ１１６から位置情報照会が要請されたか否か（段階４０６：HAS INQUIRY ABOUT LOCATION INFORMATION BEEN REQUESTED FROM SEVER?）をチェックする。この時、移動局１１０の新たな位置登録が実行された場合（段階４００）には段階４１４（UPDATE LOCATION INFORMATION OF VLR）を実行し、一定時間の間アイドル状態である移動局がある場合（段階４０２）やサーバ１１６から指定された移動局の位置及び状態確認の要請があった場合（段階４０４）には段階４０８（PERFORM DUMMY PAGING FOR RELEVANT MOBILE STATTION）を実行し、サーバ１１６から位置情報照会の要請があった場合（段階４０６）には段階４１８（TRANSMIT LOCATION INFORMATION OF VLR TO SERVER）を実行する。
【００３０】
　このような状態で、まず、第一に、移動局１１０の新たな位置登録がある場合を説明すると、ｐＢＳＣ１０６は、段階４００から段階４１４に進行し、ＶＬＲ１２０における移動局１１０の位置登録に従うｐＢＴＳ番号、セクタ番号、中継器番号を含む位置情報を更新し、段階４１６（TRANSMIT UPDATED LOCATION INFORMATION TO SERVER）で更新した位置情報をサーバ１１６に送信して、前述した段階４００〜４０６に進行する。すると、サーバ１１６は、段階３００から段階３１０に進行してｐＢＳＣ１０６から受信した位置情報をクライアント１１８に送信し、前述した段階３００〜３０４に進行する。クライアント１１８は、段階２００から段階２１０に進行し、サーバ１１６から受信した位置情報に従って移動局の位置及び状態を私設無線ネットワーク１００のサービス地域の地形図が表示された画面上にディスプレイし、前述した段階２００〜２０４に進行する。
【００３１】
　第二に、一定時間の間アイドル状態である移動局が存在する場合を説明すると、ｐＢＳＣ１０６は段階４０２から段階４０８に進行して該当移動局に対して前述したようなダミーページングを実行する。この時、一般にページング処理過程の進行中における他の着信に対してはビジー(busy)処理されるので、ダミーページングの実行時間を最小化すべきである。このため、段階４１０（IS LOCATION CONFIRMATION COMPLETED?）でダミーページングにより該当移動局の位置が確認完了されると、直ちに、段階４１２（CANCEL DUMMY PAGING）で接続拒否(connection reject)メッセージによりダミーページングを解除する。以後、ｐＢＳＣ１０６は、段階４１４に進行し、ＶＬＲ１２０における一定時間の間アイドル状態である移動局の位置確認に従う位置情報を更新し、段階４１６で更新した位置情報をサーバ１１６に送信する。すると、サーバ１１６は段階３１０でｐＢＳＣ１０６から受信した位置情報をクライアント１１８に送信し、クライアント１１８は段階２１０で移動局１１０の位置及び状態を私設無線ネットワーク１００のサービス地域の地形図が表示された画面上にディスプレイする。
【００３２】
　第三に、加入者状態の定期的な照会時刻になった場合を説明すると、クライアント１１８は、段階２０２から段階２０６に進行してサーバ１１６に加入者状態照会メッセージを送信する。すると、サーバ１１６は段階３０２段階から段階３０６に進行してｐＢＳＣ１０６に対してＶＬＲ１２０に貯蔵されている位置情報の照会を要請し、段階３０８（RECEIVE LOCATION INFORMATION FROM pBSC）に進行する。すると、ｐＢＳＣ１０６は段階４０６から段階４１８に進行してＶＬＲ１２０の位置情報をサーバ１１６に送信する。サーバ１１６は段階３０８でｐＢＳＣ１０６から位置情報を受信し、この受信した位置情報を段階３１０でクライアント１１８に送信し、クライアント１１８は段階２１０で受信した位置登録情報に応じて移動局１１０の位置及び状態を私設無線ネットワーク１００のサービス地域の地形図が表示された画面上にディスプレイする。
【００３３】
　第四に、使用者から特定移動局を指定する指定加入者状態照会要請がある場合を説明すると、クライアント１１８は段階２０４から段階２１２に進行しサーバ１１６に指定加入者状態照会メッセージを送信して段階２０８（RECEIVE LOCATION INFORMATION FROM SERVER）に進行する。サーバ１１６は段階３０４から段階３１２に進行し指定された移動局の位置及び状態確認をｐＢＳＣ１０６に要請して段階３０８に進行する。すると、ｐＢＳＣ１０６は段階４０４から段階４０８に進行して使用者により指定された移動局に対してダミーページングを実施し、段階４１０で移動局の位置を確認完了すると、段階４１２でダミーページングを解除した後、段階４１４に進行し、ＶＬＲ１２０における指定された移動局の位置確認に従う位置情報を更新し、段階４１６で更新した位置情報をサーバ１１６に送信する。サーバ１１６は段階３１０でｐＢＳＣ１０６から受信した位置情報をクライアント１１８に送信し、クライアント１１８は段階２１０で使用者が指定した移動局の位置及び状態を私設無線ネットワーク１００のサービス地域の地形図が表示された画面上にディスプレイする。
【００３４】
　以上、具体的な一実施形態に参照して説明したが、本発明はこれに限られるものではなく、各種の変形が本発明の特許請求の範囲を逸脱しない限り、該当技術分野における通常の知識をもつ者により可能なのは明らかである。特に、本発明の一実施形態ではクライアント１１８がサーバ１１６から位置情報を受信する場合を三つの場合、即ち、移動局１１０の位置登録が実行される場合、一定周期で加入者状態照会メッセージをサーバ１１６に送信する場合、指定加入者状態照会メッセージをサーバ１１６に送信する場合の例を提示したが、いずれの場合でも必要によって選択的に適用することができる。また、サーバ１１６がｐＢＳＣ１０６に設けられたＶＬＲ１２０の位置情報を照会してクライアント１１８に送信する例を提示したが、サーバ１１６にｐＢＳＣ１０６のＶＬＲ１２０と同一の位置情報を維持するＶＬＲを具現することもできる。このようにすると、サーバ１１６はクライアント１１８から加入者状態照会メッセージを受信した場合、ｐＢＳＣ１０６のＶＬＲ１２０に照会する代わりに、自分のＶＬＲを照会して位置情報をクライアント１１８に送信すればよいので、迅速に処理することができ、ｐＢＳＣ１０６にかかる負荷を低減できるようになる。この場合、サーバ１１６はｐＢＳＣ１０６から位置情報を受信するたびに自分のＶＬＲを更新して、ｐＢＳＣ１０６のＶＬＲ１２０と同一の位置情報を維持する。従って、本発明の範囲は前述の一実施形態により定められるのではなく、特許請求範囲とその均等なものにより定められるべきである。
【図面の簡単な説明】
【００３５】
【図１】本発明の一実施形態に従うネットワーク構成図。
【図２】本発明の一実施形態に従う図１のクライアントの処理フローチャート。
【図３】本発明の一実施形態に従う図１のサーバの処理フローチャート。
【図４】本発明の一実施形態に従う図１のｐＢＳＣの処理フローチャート。
【符号の説明】
【００３６】
１００　私設無線ネットワーク
１０２　ＰＬＭＮ
１０４　ＰＳＴＮ
１０６　私設基地局制御器（ｐＢＳＣ）
１０８　私設基地局(ｐＢＴＳ）
１１０　移動局（ＭＳ）
１１２　ＰＡＢＸ
１１４　ＬＡＮ
１１６　サーバ
１１８　クライアント
１２０　訪問者位置登録器(ＶＬＲ）
Ｒ　中継器
【図１】
2004088783.tif 000003
【図２】
2004088783.tif 000004
【図３】
2004088783.tif 000005
【図４】
2004088783.tif 000006